(57)【要約】      （修正有）【課題】大型のエアコンディショナに取り付けることが可能な繊維製のフィルタの提供。【解決手段】大型エアコンディショナ２の空気吸込み口に取り付けられる集塵用の大型エアコンディショナ用フィルタ１である。この大型エアコンディショナ用フィルタ１は、通気性を有する例えばポリエステル繊維などの繊維材料で形成され、空気吸い込み口と相似形のフィルタ本体１０と、所定の空気通過範囲を残してフィルタ本体１０の略全面に亘って断続的に設けられた粘着材１２と、フィルタ本体１０の外周部に着脱自在に接着可能な接着布３１と、この接着布を空気吸い込み口の外周枠部に粘着すべく接着布に設けられた粘着材とを備えた。【選択図】図３
0003101063.tif 000002
【実用新案登録請求の範囲】
【請求項１】
大型エアコンディショナの空気吸い込み口に取り付け可能な集塵用のフィルタであって、
通気性を有する繊維材料で形成され前記空気吸い込み口と相似形のフィルタ本体と、
所定の空気通過面積を残して前記フィルタ本体の略全面に亘って断続的に設けられた粘着材と、
前記フィルタ本体の外周部に着脱自在に接着可能な接着布と、
前記接着布を前記空気吸い込み口の外周枠部に粘着すべく、前記接着布に設けられた粘着材と、を備えたことを特徴とする大型エアコンディショナ用フィルタ。
【請求項２】
前記フィルタ本体が四角形であり、その一方の辺が３５ｃｍ以上、他方の辺が５７ｃｍ以上であることを特徴とする請求項１に記載の大型エアコンディショナ用フィルタ。
【請求項３】
前記フィルタ本体に塵埃などの異物が付着した旨を表示すべく、前記空気通過範囲内に非通気性材料によって設けられた文字、模様、又は記号を備えたことを特徴とする請求項１又は２に記載の大型エアコンディショナ用フィルタ。
【請求項４】
前記フィルタ本体に脱臭剤が混入されていることを特徴とする請求項１から３のいずれかに記載の大型エアコンディショナ用フィルタ。
【請求項５】
前記フィルタ本体に滅菌剤が混入されていることを特徴とする請求項１から４のいずれかに記載の大型エアコンディショナ用フィルタ。
【考案の詳細な説明】
【技術分野】
【０００１】
本考案は、例えば業務用として使用される大型エアコンディショナに好適な大型エアコンディショナ用フィルタに関する。
【背景技術】
【０００２】
エアコンディショナには、集塵機能を有するフィルタが内蔵されているのが普通である。この種のフィルタは、エアコンディショナが故障するのを防止するべく、空気中に含まれる比較的大きな塵埃を取り除くのために使用される。
【０００３】
一方、空気中に含まれる比較的小さな塵埃、例えば煙草の煙、花粉などを取り除くために、エアコンディショナの空気吸い込み口に外側から取り付ける繊維製のフィルタが提案されている（例えば、特許文献１参照。）。
【特許文献１】特開２００２−０８５９２７号公報
【考案の開示】
【考案が解決しようとする課題】
【０００４】
しかしながら、従来の繊維製のフィルタは、家庭用として使用される小型のエアコンディショナ用に取り付けるものであり、業務用として使用される大型のエアコンディショナに取り付けるには不向きであった。
【０００５】
本考案は、このような問題に鑑みなされたもので、業務用として使用される大型のエアコンディショナに取り付けることが可能な繊維製のフィルタの提供を課題とする。
【課題を解決するための手段】
【０００６】
本考案は、前記課題を解決するため、以下の手段を採用した。すなわち、本考案は、大型エアコンディショナの空気吸い込み口に取り付け可能な集塵用のフィルタであって、通気性を有する繊維材料で形成され前記空気吸い込み口と相似形のフィルタ本体と、所定の空気通過範囲を残して前記フィルタ本体の略全面に亘って断続的に設けられた粘着材と、前記フィルタ本体の外周部に着脱自在に接着可能な接着布と、前記接着布を前記空気吸い込み口の外周枠部に粘着するべく前記接着布に設けられた粘着材と、を備えたことを特徴とする。
【０００７】
本考案では、フィルタ本体の全面に粘着材が断続的に設けられ、フィルタ本体の外周部に空気吸い込み口の外周枠部に粘着可能な接着布が設けられているので、フィルタ本体をエアコンディショナの空気吸い込み口に確実に固定できる。
【０００８】
ここで、前記フィルタ本体を四角形とし、その一方の辺を３５ｃｍ以上、他方の辺を５７ｃｍ以上で、特に８５ｃｍ以上にもできる。このようにフィルタ本体が大型であっても、大型エアコンディショナの空気吸い込み口から不用意に脱落するのを防止できる。なお、フィルタ本体は、四角形に限らず、円形、楕円形など各種の形状にできる。
【０００９】
また、前記フィルタ本体に塵埃などの異物が付着した旨を表示すべく、前記空気通過範囲内に非通気性材料によって形成された文字、模様、又は記号を備えることができる。
【００１０】
この場合は、文字、模様又は記号に塵埃などが付着せず、その周囲に塵埃が付着するので、文字、模様又は記号が浮き出る。従って、フィルタの交換時期を的確に判断できる。
【００１１】
また、前記フィルタ本体に脱臭剤又は滅菌剤を混入するのが好ましい。これにより、空気中の異臭、菌、ウィルスなどを除去できる。
【００１２】
なお、上記の各構成は、本考案の趣旨を逸脱しない限り、互いに組み合わせることが可能である。
【考案の効果】
【００１３】
以上説明したように、本考案のエアコンディショナ用フィルタによれば、業務用として使用される大型のエアコンディショナの空気吸い込み口に繊維製のフィルタを取り付けることができる。これにより、空気中の煙草の煙、花粉などの比較的小さな塵埃を除去することができる。
【考案を実施するための最良の形態】
【００１４】
以下、本考案の実施の形態を添付した図１から図６に基づいて説明する。
【００１５】
図１に示すように、本考案の実施形態に係る大型エアコンディショナ用フィルタ１は、業務用として使用される大型エアコンディショナ２の空気吸い込み口２１に取り付けられる。
【００１６】
大型エアコンディショナ２の空気吸い込み口２１は、図２に示すように、空気吸い込み口２１の端縁２５と平行な多数の補強部材２２によって区画された多数のスリット状開口２３を有している。
【００１７】
この空気吸い込み口２１は、その全体が四角形、本例では略長方形に形成されている。空気吸い込み口２１の周囲には、比較的広い面積を有する平坦な外周枠部２4が設けられている。この外周枠部２４の外側には、空気吸い込み口２１の各端縁２５と平行に細長い空気吹出し口２６が設けられている。
【００１８】
大型エアコンディショナ用フィルタ１は、図３に示すように、そのフィルタ本体１０が通気性を有する繊維材料によって形成されている。本例では、繊維材料としてポリエステル繊維が使用されているが、これ以外の繊維材料を使用できる。
【００１９】
上記のフィルタ本体１０は、図４に示すように、大型エアコンディショナ２の空気吸い込み口２１と相似形で、空気吸い込み口２１より少し大きめの四角形に形成されている。本例では、フィルタ本体１０が略長方形に形成されている。
【００２０】
また、フィルタ本体１０は、その一辺が３５ｃｍ以上、他片が５７ｃｍ以上で大型に形成されている。特に、フィルタ本体の一辺を３５ｃｍ以上、他辺を８５ｃｍ以上の非常に大型にもできる。なお、フィルタ本体１０は、四角形に限らず、円形、楕円形など各種の形状にできる。
【００２１】
このフィルタ本体１０の空気吸い込み口２１と対向する側の表面１１には、所定の空気通過範囲を残して粘着材１２が断続的に設けられている。なお、所定の空気通過範囲とは、エアコンディショナ２の空調能力に応じた面積である。
【００２２】
本例では、粘着材１２が比較的狭い幅で略直線状に形成されている。これらの粘着材１２は、複数設けられ、各粘着材１２が互いに所定の間隔を開けて平行に配置されている。また、各粘着材１２が、フィルタ本体１０の端縁１３に対して傾斜している。なお、粘着材１２は、直線状に限らず各種の形状にできる。
【００２３】
フィルタ本体１０の外周部には、図５にも示すように、接着布３１が着脱自在に設けられている。この接着布３１のフィルタ本体１０に接着された面３１ａと反対側の面３１ｂには、空気吸い込み口２１の外周枠部２４に粘着可能な粘着材３２が設けられている。
【００２４】
更に、フィルタ本体１０には、図６に示すように、非通気性材料である例えば粘着材で形成された文字１４が複数設けられている。この文字１４は、フィルタ本体１０に塵埃などの異物が一定量以上付着したため、交換時期である旨を意味する文言を表示したものである。
【００２５】
文字１４は、フィルタ本体１０の空気通過範囲内で粘着材１２と同一の面に設けられている。なお、文字１４に代えて、模様、記号などを設けることができる。また、文字１４は粘着材に限らず、粘着テープなどを使用できる。
【００２６】
この文字１４及び上記の粘着材１２は、実際にはフィルタ本体１０の未使用時の色と同色、本例では白色である。そのため、フィルタ本体１０の未使用時には、文字１４を明確に認識できない。なお、図４及び図６中では、理解を容易にするために文字１４を発現して表示した。
【００２７】
フィルタ本体１０には、脱臭剤、滅菌剤を混入できる。脱臭剤は、一般に使用されているものを使用できる。また、滅菌剤としては、酸化チタンなどを使用できる。脱臭剤、滅菌剤をフィルタ本体１０に混入することによって、空気中に含まれる異臭、菌、ウィルスなどを除去できる。
【００２８】
この大型エアコンディショナ用フィルタ１を、大型エアコンディショナ２の空気吸い込み口２１（図１参照）に取り付けるときは、まず、接着布３１を粘着材３２によって単独で空気吸い込み口２１の外周枠部２４に粘着させる。
【００２９】
次に、フィルタ本体１０を広げて、その外周部を接着布３１に接着させる。フィルタ本体１０は繊維質なので、そのままの状態で接着布３１に着脱自在に接着される。
【００３０】
これと同時に、フィルタ本体１０の全面を空気吸い込み口２１側に押し付ける。これにより、フィルタ本体１０が粘着材１２によって空気吸い込み口２１の補強部材２２に粘着される。
【００３１】
このように、本考案の大型エアコンディショナ用フィルタ１は、その外周部が接着布３１によって空気吸い込み口２１の外周枠部２４に固定されると共に、全面的に粘着材１２によって補強部材２２に粘着される。
【００３２】
従って、フィルタ本体１０が大型であっても、その重量で空気吸い込み口２１から不用意に脱落するのを防止できる。また、大型エアコンディショナ２が高所に設置された天井設置タイプであっても、中央部が垂れ下がるのを防止できる。
【００３３】
更に、大型エアコンディショナ用フィルタ１を、空気吸い込み口２１に簡単に取り付けることができる。また、大型エアコンディショナ用フィルタ１を交換する場合には、フィルタ本体１０の端部を引っ張るだけで簡単に取り外すことができる。
【００３４】
また、フィルタ本体１０が繊維材料、本例ではポリエステル繊維によって形成されているので、空気中に含まれる煙草の煙、花粉など比較的小さな塵埃を効率よく集塵できる。
【００３５】
この大型エアコンディショナ用フィルタ１は、ある程度の期間使用すると、フィルタ本
体１０の空気通過範囲内に煙草の煙、花粉などの塵埃が付着して黒っぽく変色する。
【００３６】
しかし、文字１４は非通気性材料である粘着材で形成されているため、空気及びこれに含まれる塵埃が文字１４を通過しない。従って、長期間使用した後でも空気中に含まれている煙草の煙、花粉などの塵埃が文字１４に付着することがない。
【００３７】
そのため、文字１４は長期間経過後も変色せずに元の白色が保持され、その周囲が黒っぽくなる。これにより、文字１４が周囲から浮き出たようになる。従って、文字１４を外部から容易に識別できる。
【００３８】
これにより、フィルタ本体１０が汚れていること、大型エアコンディショナ用フィルタ１を交換する時期であることを的確に判断できる。
【図面の簡単な説明】
【００３９】
【図１】実施形態に係る大型エアコンディショナ用フィルタを業務用の大型エアコンディショナに取り付けた状態を示す図である。
【図２】実施形態に係る大型エアコンディショナの空気吸い込み口を示す図である。
【図３】図１のＡ−Ａ断面図である。
【図４】図３のＢ−Ｂ断面図である。
【図５】図４のＣ−Ｃ断面図である。
【図６】図３のＤ矢視図である。
【符号の説明】
【００４０】
１    大型エアコンディショナ用フィルタ
２    大型エアコンディショナ
１０    フィルタ本体
１２    粘着材
１３    フィルタ本体の端縁
１４    文字
２１    空気吸い込み口
２２    補強部材
２３    スリット状の開口
２４    外周枠部
２５    空気吸い込み口の端縁
２６    空気吹出し口
３１    接着布
３１ａ  フィルタ本体に接着される面
３１ｂ  空気吸い込み口の外周枠部と対向する面
３２    粘着材
【図１】
0003101063.tif 000003
【図２】
0003101063.tif 000004
【図３】
0003101063.tif 000005
【図４】
0003101063.tif 000006
【図５】
0003101063.tif 000007
【図６】
0003101063.tif 000008